(57)【要約】【課題】ＩＰｏｖｅｒＡＴＭネットワークに関し、装置再開等の環境下で再起動後に送信される有効データがルータ装置内に滞留した不要データと異常結合して信号欠損が発生してしまう事態を回避する。【解決手段】ＡＴＭ装置７０６の再起動時を１０１が判定し、上位レイヤプロトコルで動作するダミーセル送出部１０２が、ルータ装置７０１に向けてダミーセルを送出する。ルータ装置７０１内の該当する回線インタフェース部内では、内部に滞留している不要データにダミーセルが意図的に結合させられ、ＣＲＣチェックにて破棄される。この結果、再開後の有効データの欠損が回避される。【選択図】図１
2010035000.tif 000002
【特許請求の範囲】
【請求項１】
非同期転送モード回線網（ＡＴＭ回線網）とインターネットプロトコル回線網（ＩＰ回線網）がルータ装置によって相互に接続されるネットワーク上で、前記ＡＴＭ回線網を構成する非同期転送モード通信装置（ＡＴＭ装置）内に構成される装置であって、
前記ＡＴＭ装置の再開を判定する再開判定手段と、
該再開判定手段が前記ＡＴＭ装置の再開を判定した場合に、前記ＡＴＭ装置が終端する非同期転送モード回線（ＡＴＭ回線）に向けてダミーの非同期転送モードセル（ＡＴＭセル）の送出を指示するダミーセル送出手段と、
を含み、
前記ＡＴＭ装置の再開時に、該ＡＴＭ装置と通信するルータ装置において、該ルータ装置内に滞留している該ＡＴＭ装置との通信データセルに前記ダミーのＡＴＭセルを結合させ、該結合されたデータを誤り検出処理により破棄させる、
ことを特徴とするＩＰｏｖｅｒＡＴＭ回線における信号欠損の回避装置。
【請求項２】
前記ダミーセル送出手段は、インターネットプロトコル（ＩＰプロトコル）よりも上位レイヤ階層のプロトコルにおけるデータ送信機能を用いて、前記ダミーのＡＴＭセルの送出を指示する、
ことを特徴とする請求項１に記載のＩＰｏｖｅｒＡＴＭ回線における信号欠損の回避装置。
【請求項３】
前記上位レイヤ階層のプロトコルにおけるデータ送信機能として、インターネット・コントロール・メッセージ・プロトコル（ＩＣＭＰプロトコル）におけるピング（ｐｉｎｇ）試験送信機能、トランスミッション・コントロール・プロトコル（ＴＣＰプロトコル）におけるテルネット（ｔｅｌｎｅｔ）ログイン機能、前記ＴＣＰプロトコルにおけるファイル・トランスファー・プロトコル（ｆｔｐ）ログイン機能、ユーザ・データグラム・プロトコル（ＵＤＰプロトコル）におけるシンプル・ネットワーク・マネジメント・プロトコル−トラップ（ＳＮＭＰ−Ｔｒａｐ）ログイン機能、前記ＵＤＰプロトコルにおけるトレース・ルート（ｔｒａｃｅｒｏｕｔｅ）試験機能の何れかを用いる、
ことを特徴とする請求項２に記載のＩＰｏｖｅｒＡＴＭ回線における信号欠損の回避装置。
【請求項４】
非同期転送モード回線網（ＡＴＭ回線網）とインターネットプロトコル回線網（ＩＰ回線網）がルータ装置によって相互に接続されるネットワーク上で、前記ルータ装置内に構成される装置であって、
前記ルータ装置が収容する非同期転送モード回線（ＡＴＭ回線）の切断又は障害を検出するＡＴＭ回線断検出手段と、
該ＡＴＭ回線断検出手段による前記ＡＴＭ回線の切断又は障害の検出状況に基づいて、前記ルータ装置内に滞留している該検出が行われたＡＴＭ回線に対応する前記ＡＴＭセルのデータを破棄する滞留データ破棄手段と、
を含むことを特徴とするＩＰｏｖｅｒＡＴＭ回線における信号欠損の回避装置。
【請求項５】
前記ＡＴＭ回線断検出手段が前記ＡＴＭ回線の切断又は障害を検出した後、前記ＡＴＭ回線の所定時間の切断又は障害の継続を判定するＡＴＭ回線断判定手段を更に含み、
前記滞留データ破棄手段は、前記ＡＴＭ回線断判定手段が前記ＡＴＭ回線の所定時間の切断又は障害の継続を判定した場合に、前記ルータ装置内に滞留している該判定が行われたＡＴＭ回線に対応する前記ＡＴＭセルのデータを破棄する、
ことを特徴とする請求項４に記載のＩＰｏｖｅｒＡＴＭ回線における信号欠損の回避装置。
【請求項６】
前記ＡＴＭ回線断検出手段は、前記ＡＴＭ回線に関して通知される複数の非同期通信モード回線警報（ＡＴＭ回線警報）のうちから選択されたＡＴＭ回線警報を用いて、前記ルータ装置が収容する非同期転送モード回線（ＡＴＭ回線）の切断又は障害を検出する、
ことを特徴とする請求項４又は５の何れか１項に記載のＩＰｏｖｅｒＡＴＭ回線における信号欠損の回避装置。
【請求項７】
非同期転送モード回線網（ＡＴＭ回線網）とインターネットプロトコル回線網（ＩＰ回線網）がルータ装置によって相互に接続されるネットワーク上で、前記ルータ装置内に構成される装置であって、
前記ルータ装置が収容するインターネットプロトコル回線（ＩＰ回線）の切断又は障害を検出するＩＰ回線断検出手段と、
該ＩＰ回線断検出手段による前記ＩＰ回線の切断又は障害の検出状況に基づいて、前記ルータ装置内に滞留している該検出が行われたＩＰ回線との間でルーティングが設定されている前記ＡＴＭ回線に対応する前記ＡＴＭセルのデータを破棄する滞留データ破棄手段と、
を含むことを特徴とするＩＰｏｖｅｒＡＴＭ回線における信号欠損の回避装置。
【請求項８】
非同期転送モード回線網（ＡＴＭ回線網）とインターネットプロトコル回線網（ＩＰ回線網）がルータ装置によって相互に接続されるネットワーク上における信号欠損の回避方法であって、
前記ＡＴＭ回線網を構成する非同期転送モード通信装置（ＡＴＭ装置）の再開を判定する再開判定ステップと、
該再開判定ステップにより前記ＡＴＭ装置の再開が判定された場合に、前記ＡＴＭ装置が終端する非同期転送モード回線（ＡＴＭ回線）に向けてダミーの非同期転送モードセル（ＡＴＭセル）の送出を指示するダミーセル送出ステップと、
前記ＡＴＭ装置の再開時に、該ＡＴＭ装置と通信するルータ装置において、該ルータ装置内に滞留している該ＡＴＭ装置との通信データセルに前記ダミーのＡＴＭセルを結合させ、該結合されたデータを誤り検出処理により破棄させる滞留データ破棄ステップと、
を含むことを特徴とするＩＰｏｖｅｒＡＴＭ回線における信号欠損の回避方法。
【請求項９】
非同期転送モード回線網（ＡＴＭ回線網）とインターネットプロトコル回線網（ＩＰ回線網）がルータ装置によって相互に接続されるネットワーク上における信号欠損の回避方法であって、
前記ルータ装置が収容する非同期転送モード回線（ＡＴＭ回線）の切断又は障害を検出するＡＴＭ回線断検出ステップと、
該ＡＴＭ回線断検出ステップによる前記ＡＴＭ回線の切断又は障害の検出状況に基づいて、前記ルータ装置内に滞留している該検出が行われたＡＴＭ回線に対応する前記ＡＴＭセルのデータを破棄する滞留データ破棄ステップと、
を含むことを特徴とするＩＰｏｖｅｒＡＴＭ回線における信号欠損の回避方法。
【請求項１０】
非同期転送モード回線網（ＡＴＭ回線網）とインターネットプロトコル回線網（ＩＰ回線網）がルータ装置によって相互に接続されるネットワーク上における信号欠損の回避方法であって、
前記ルータ装置が収容するインターネットプロトコル回線（ＩＰ回線）の切断又は障害を検出するＩＰ回線断検出ステップと、
該ＩＰ回線断検出ステップによる前記ＩＰ回線の切断又は障害の検出状況に基づいて、前記ルータ装置内に滞留している該検出が行われたＩＰ回線との間でルーティングが設定されている前記ＡＴＭ回線に対応する前記ＡＴＭセルのデータを破棄する滞留データ破棄ステップと、
を含むことを特徴とするＩＰｏｖｅｒＡＴＭ回線における信号欠損の回避方法。
【発明の詳細な説明】
【技術分野】
【０００１】
本発明は、ＩＰ（Internet Protocol：インターネットプロトコル）回線網とＡＴＭ（Asynchronous Transfer Mode：非同期転送モード）回線網の接続におけるＩＰパケット信号の欠損の回避技術に関する。
【背景技術】
【０００２】
現代の通信ネットワーク環境においては、図７に例示されるように、ＡＴＭ回線網７０４とＩＰ回線網７０５が混在しており、これらの回線網の結合はルータ装置７０１を介して行われる。
【０００３】
ＩＰは、ＯＳＩ基本参照モデルのネットワーク層に位置し、ネットワークに参加している機器の住所付け（アドレッシング）や、相互に接続された複数のネットワーク内での通信経路の選定（ルーティング）をするための方法を定義している。ＩＰに基づくデータは、ＩＰヘッダと可変長のデータ部とから構成されるＩＰパケットを用いて通信される。ネットワーク層は、ＯＳＩ参照モデルの第３層に位置し、データリンク層以下のプロトコルを使用して接続されているネットワーク同士の通信をおこなうための方式を定める。ネットワーク上の全コンピュータに一意なアドレスが割り当てられて、データの伝送経路選択、パケットサイズの変換などがおこなわれる。
【０００４】
ＡＴＭは、１本の回線を複数の論理回線（チャネル）に分割して同時に通信を行なう多重化方式の一つで、各チャネルのデータが５３バイトの固定長データに分割されて送受信される通信方式である。ＡＴＭで送受信されるデータは４８バイトごとに分割され、５バイトのヘッダ情報を付加されたＡＴＭセルという単位で送受信される。ＯＳＩ参照モデルでは第２層(データリンク層)にあたり、物理層には光ファイバーや銅線が、ネットワーク層にはＩＰなどが利用できる。
【０００５】
ＡＴＭ回線網７０４においては、伝送速度により、１５５Ｍ（メガビット／秒）光ＡＴＭメガリンク、２５Ｍ、６．３Ｍ、１．５Ｍ、・・・等の、複数種類のインタフェース（以下、「Ｉ／Ｆ」と表記する）が存在し、それぞれの通信を行うＡＴＭ装置７０６が構成されている。
【０００６】
ＩＰ回線網７０５においても、様々な伝送速度のＩＰ  Ｉ／Ｆが存在し、それぞれの通信を行うＩＰ装置７０７が構成されている。
ＩＰ回線網７０５内又はＩＰ回線網７０５とＡＴＭ回線網７０４間を制御する装置はルータ装置と呼ばれ、１つのネットワーク上を流れるデータを他のネットワークに中継する。ルータ装置は、ＯＳＩ参照モデルにおけるネットワーク層（第３層）やトランスポート層（第４層）の一部のプロトコルを解析して転送制御を実行し、ネットワーク層のアドレスを見て、どの経路を通して転送すべきかを判断する経路選択を行う。
【０００７】
ルータ装置７０１は、上記複数のＡＴＭ回線Ｉ／Ｆを収容するＡＴＭ回線Ｉ／Ｆ部７０２と、複数のＩＰ回線を収容するＩＰ回線Ｉ／Ｆ部７０３を具備し、内部設定により、ＡＴＭ側信号とＩＰ側信号とをルーティングする。
【０００８】
図８（ａ）に示されるように、ルータ装置７０１内のＩＰ回線Ｉ／Ｆ部７０３とＩＰ装置７０７の間の通信はＩＰパケットによって行われ、ルータ装置７０１内のＡＴＭ回線Ｉ／Ｆ部７０２とＡＴＭ装置７０６の間の通信はＡＴＭセルによって行われる。
【０００９】
ＡＴＭ回線網７０４にＩＰ回線網７０５上のＩＰパケットを流すためには、図８（ａ）に示されるようにデータ形式の異なるＩＰパケットとＡＴＭセル間で翻訳を行う。それを実現する技術は、ＩＰｏｖｅｒＡＴＭと呼ばれる。
【００１０】
ＩＰｏｖｅｒＡＴＭのもとでは、図８（ｂ）に示されるように、ルータ装置７０１は、ＩＰ回線Ｉ／Ｆ部７０３にて受信したＩＰパケットを、ＣＰＣＳ−ＰＤＵ（Common Part Convergence Sublayer Protocol Data Unit）と呼ばれるプロトコルデータユニットに格納し、それを更に複数のＡＴＭセルのペイロードに分割して、それらにそれぞれＡＴＭヘッダを付加して複数のＡＴＭセルを生成し、ＡＴＭ回線Ｉ／Ｆ部７０２に送出する。
【００１１】
逆に、ルータ装置７０１は、ＡＴＭ回線Ｉ／Ｆ部７０２にて受信した複数のＡＴＭセルのペイロードから、ＣＰＣＳ−ＰＤＵを組み立て、ＩＰパケットに変換した後、そのＩＰパケットをＩＰ回線Ｉ／Ｆ部７０３に送出する。
【００１２】
ここで、ルータ装置７０１における上述した低レイヤのＡＴＭセルから高レイヤのＩＰパケットへのデータの組上げにおけるデータ区切りは、図８（ｂ）に示される、ＡＴＭセルヘッダ内の３ビットからなるＰＴＩ（Payload Type Identifier）ビットによって判断される。
【００１３】
或るＡＴＭセルにＰＴＩ＝０がセットされている場合は、１つのＩＰパケットを組み立てるために、そのＡＴＭセルに継続するＡＴＭセルが有ると判断され、ＰＴＩ＝１がセットされている場合はそのＡＴＭセルに継続するＡＴＭセルは無いと判断される。このため、ルータ装置７０１は、ユーザチャネル毎に、ＰＴＩ＝０であるＡＴＭセルを受信した際は、ＰＴＩ＝１であるＡＴＭセルを受信するまで、各受信したＡＴＭセルを内部に保持し待機する動作を行う。
【特許文献１】特開２００４−３２１２３号公報
【発明の開示】
【発明が解決しようとする課題】
【００１４】
上記環境下で、ルータ装置７０１に接続されたＡＴＭ装置７０６又はＩＰ装置７０７の何れかにおいて、機器の再開及び再起動が発生すると、送信途中のデータが寸断される。送信途中であるため、ルータ装置７０１においては、対象となるユーザチャネルにおいて待機処理を行っているＡＴＭセルヘッダ群のＰＴＩビットは０のままであり、この結果、ルータ装置７０１は、ＰＴＩ＝１がセットされたＡＴＭセルを待ち続ける。
【００１５】
しかし、再開した装置が再起動して有効データを送信し始めると、その再開データのＰＴＩ＝０であるＡＴＭセルが、ルータ装置７０１内に滞留している上記寸断されたＡＴＭセル群と異常結合してしまうため、ルータ装置７０１において、図８（ｂ）に示されるＣＰＣＳ−ＰＤＵが組み立てられた時点におけるＣＲＣ（Cyclic Redundancy Check）の演算結果がＮＧ（異常）となって、再開後の有効データが破棄されてしまうという問題点を有していた。
【００１６】
ＣＲＣは、「巡回冗長検査」と呼ばれ、連続して出現する誤り（バースト誤り）の検出が可能な誤り検出方式である。ＡＴＭセルがＣＰＣＳ−ＰＤＵに組み上げられる際には、ＣＰＣＳ−ＰＤＵのデータに対してＣＲＣ−３２演算が行われ、その演算結果とＣＰＣＳ−ＰＤＵに付与されたＣＲＣ−３２フィールド値とが一致するかどうかが比較されることにより、誤り検出が行われる。
【００１７】
ＡＴＭ装置７０６においては、上位装置の再開により、配下の複数ＡＴＭ装置７０６が連鎖的に再開する構成が多く、上述したような、有効データの欠損によるデータ信頼性の
低下という問題の他に、欠損後の再送処理による通信回線の輻輳という問題も発生する。
【課題を解決するための手段】
【００１８】
本発明の課題は、装置再開等のネットワーク環境下において再起動後に送信される有効データがルータ装置内に滞留した不要データと異常結合して信号欠損が発生してしまう事態を回避し、データの信頼性を向上させ回線輻輳を回避することにある。
【００１９】
本発明の第１の態様は、非同期転送モード回線網（ＡＴＭ回線網）とインターネットプロトコル回線網（ＩＰ回線網）がルータ装置によって相互に接続されるネットワーク上で、ＡＴＭ回線網を構成する非同期転送モード通信装置（ＡＴＭ装置）内に構成される信号欠損の回避装置又は方法を前提とする。
【００２０】
再開判定手段（再開判定部１０１）は、ＡＴＭ装置の再開を判定する。
ダミーセル送出手段（ダミーセル送出部１０２）は、再開判定手段がＡＴＭ装置の再開を判定した場合に、ＡＴＭ装置が終端する非同期転送モード回線（ＡＴＭ回線）に向けてダミーの非同期転送モードセル（ＡＴＭセル）の送出を指示する。このダミーセル送出手段は、例えば、インターネットプロトコル（ＩＰプロトコル）よりも上位レイヤ階層のプロトコルにおけるデータ送信機能を用いて、ダミーのＡＴＭセルの送出を指示する。より具体的には、インターネット・コントロール・メッセージ・プロトコル（ＩＣＭＰプロトコル）におけるピング（ｐｉｎｇ）試験送信機能、トランスミッション・コントロール・プロトコル（ＴＣＰプロトコル）におけるテルネット（ｔｅｌｎｅｔ）ログイン機能、ＴＣＰプロトコルにおけるファイル・トランスファー・プロトコル（ｆｔｐ）ログイン機能、ユーザ・データグラム・プロトコル（ＵＤＰプロトコル）におけるシンプル・ネットワーク・マネジメント・プロトコル−トラップ（ＳＮＭＰ−Ｔｒａｐ）ログイン機能、ＵＤＰプロトコルにおけるトレース・ルート（ｔｒａｃｅｒｏｕｔｅ）試験機能の何れかが用いられる。
【００２１】
そして、ＡＴＭ装置の再開時に、そのＡＴＭ装置と通信するルータ装置において、そのルータ装置内に滞留しているそのＡＴＭ装置との通信データセルにダミーのＡＴＭセルが結合させられ、その結合されたデータが誤り検出処理により破棄させられる。
【００２２】
本発明の第２の態様は、非同期転送モード回線網（ＡＴＭ回線網）とインターネットプロトコル回線網（ＩＰ回線網）がルータ装置によって相互に接続されるネットワーク上で、ルータ装置内に構成される信号欠損の回避装置又は方法を前提とする。
【００２３】
ＡＴＭ回線断検出手段（回線断検出部３０１）は、ルータ装置が収容する非同期転送モード回線（ＡＴＭ回線）の切断又は障害を検出する。
滞留データ破棄手段（滞留データ破棄部３０４）は、ＡＴＭ回線断検出手段によるＡＴＭ回線の切断又は障害の検出状況に基づいて、ルータ装置内に滞留しているその検出が行われたＡＴＭ回線に対応するＡＴＭセルのデータを破棄する。
【００２４】
上記本発明の第２の態様の構成において、ＡＴＭ回線断検出手段がＡＴＭ回線の切断又は障害を検出した後、ＡＴＭ回線の所定時間の切断又は障害の継続を判定するＡＴＭ回線断判定手段（回線断判定部３０２、タイマ３０３）を更に含み、滞留データ破棄手段は、ＡＴＭ回線断判定手段がＡＴＭ回線の所定時間の切断又は障害の継続を判定した場合に、ルータ装置内に滞留しているその判定が行われたＡＴＭ回線に対応するＡＴＭセルのデータを破棄するように構成することができる。
【００２５】
上記本発明の第２の態様の構成において、ＡＴＭ回線断検出手段は、ＡＴＭ回線に関して通知される複数の非同期通信モード回線警報（ＡＴＭ回線警報）のうちから選択された
ＡＴＭ回線警報を用いて、ルータ装置が収容する非同期転送モード回線（ＡＴＭ回線）の切断又は障害を検出するように構成することができる。
【００２６】
本発明の第３の態様は、非同期転送モード回線網（ＡＴＭ回線網）とインターネットプロトコル回線網（ＩＰ回線網）がルータ装置によって相互に接続されるネットワーク上で、ルータ装置内に構成される信号欠損の回避装置又は方法を前提とする。
【００２７】
ＩＰ回線断検出手段（回線断検出部３０１）は、ルータ装置が収容するインターネットプロトコル回線（ＩＰ回線）の切断又は障害を検出する。
滞留データ破棄手段（滞留データ破棄部３０４）は、ＩＰ回線断検出手段によるＩＰ回線の切断又は障害の検出状況に基づいて、ルータ装置内に滞留しているその検出が行われたＩＰ回線との間でルーティングが設定されているＡＴＭ回線に対応するＡＴＭセルのデータを破棄する。
【００２８】
上記本発明の第３の態様の構成において、ＩＰ回線断検出手段がＩＰ回線の切断又は障害を検出した後、ＩＰ回線の所定時間の切断又は障害の継続を判定するＩＰ回線断判定手段（回線断判定部３０２、タイマ３０３）を更に含み、滞留データ破棄手段は、ＩＰ回線断判定手段がＩＰＯ回線の所定時間の切断又は障害の継続を判定した場合に、ルータ装置内に滞留しているその検出が行われたＩＰ回線との間でルーティングが設定されているＡＴＭ回線に対応するＡＴＭセルのデータを破棄するように構成することができる。
【発明の効果】
【００２９】
本発明によれば、ネットワーク環境下で一般的に起こりえるルータ装置での信号の異常結合による有効データの信号欠損を回避することが可能となる。
本発明によれば、有効データの信号欠損が回避され、データの信頼性が向上する。
【００３０】
本発明によれば、再送処理の競合による回線輻輳を回避することが可能となる。
本発明によれば、ダミーセルの送信処理においては、ハードウエアの構成に依存せず、ソフトウエアの選択自由度が高いため、有効データの信号欠損の回避を、高価な追加設備投資なく実現することが可能となる。
【００３１】
また、本発明によれば、現存するインフラに本発明の機能を盛り込んだソフトウエアをダウンロードすることで、ハード構成を変更せずに有効データの信号欠損の回避を実現することが可能となる。
【発明を実施するための最良の形態】
【００３２】
以下、図面を参照しながら、実施するための最良の形態を詳細に説明する。
まず、以下に説明する実施形態が適用されるネットワークシステムの全体構成は図７に示したものと同じであり、ＡＴＭセルとＩＰパケットの関係も、前述した図８に示したものと同じである。
【００３３】
図１は、図７のＡＴＭ装置７０６において実現される第１の実施形態の構成図である。
第１の実施形態では、ＡＴＭ装置７０６は、装置全体の構成を制御するオペレーティングシステム（ＯＳ）実行部１０３、ＶＰＩ／ＶＣＩチャネル管理テーブル１０５を具備するハードウェアデバイスドライバ部１０４、ＡＴＭ回線を終端するＡＴＭ回線終端部１０６を有するほか、装置の再起動を判定する再開判定部１０１、装置再開時に各ＶＰＩ及びＶＣＩによって決定される各ユーザチャネル毎にダミーのＡＴＭセル（以下、「ダミーセル」と呼ぶ）を送出するダミーセル送出部１０２とを有する。
【００３４】
図１のＡＴＭ装置７０６において、再開判定部１０１は、ＡＴＭ装置７０６自身の再開
及び再起動の発生を監視している。そして、装置が再開して（図２のＳ２０１）、続いて再起動すると（図２のＳ２０２）、再開判定部１０１はダミーセル送出部１０２にダミーセルの送出を指示する。
【００３５】
ダミーセル送出部１０２は、ＡＴＭ装置７０６内に搭載されるソフトウエアアプリケーションによる上位レイヤでのダミーセル送信機能として実現され、ＯＳ実行部１０３に標準的に装備された関数をシステムコールで呼び出す。
【００３６】
ダミーセル送出指示の第１の具体例として、ダミーセル送出部１０２がＯＳ実行部１０３のＰｉｎｇ関数を呼び出し、必要な引数（宛先ＩＰアドレス、送信回数、送信バイト数等）を指定して、Ｐｉｎｇ送信指示を行う。Ｐｉｎｇ関数は、ＴＣＰ／ＩＰネットワークを診断するプログラムであり、接続されているかどうか調べたい相手先のＩＰアドレスを指定すると、ＩＣＭＰ（インターネット・コントロール・メッセージ・プロトコル）を使って通常３２バイト程度のデータを送信し、相手先から返信があるかどうか、返信がある場合はどのくらい時間がかかっているか、などのデータを元にネットワークを診断する。ダミーセルなので、送信回数、送信バイト数は、設定可能範囲内で最少の値が選択される。ダミーセルを送信することのみにＰｉｎｇ試験送信が行われるので、当該処理は、Ｐｉｎｇ応答の受信有無に関係なく強制終了する。
【００３７】
ダミーセル送出指示の第２の具体例として、ダミーセル送出部１０２がＯＳ実行部１０３のＴｅｌｎｅｔログイン関数（プロトコル：ＴＣＰ（トランスミッション・コントロール・プロトコル））を呼び出す。ＴＣＰは、インターネットで利用される標準プロトコルで、ＯＳＩ参照モデルのトランスポート層にあたる。信頼性は高いが転送速度が低い。Ｔｅｌｎｅｔログイン時の宛先ＩＰアドレスは、通常通信時のものとする。ダミーセルを送信することのみにＴｅｌｎｅｔログイン処理が行われるので、当該処理は、以降のパスワード入力等の処理に移行せず強制終了する。
【００３８】
ダミーセル送出指示の第３の具体例として、ダミーセル送出部１０２がＯＳ実行部１０３のＦＴＰ（ファイル・トランスファー・プロトコル）ログイン関数（プロトコル：ＴＣＰ）を呼び出す。ＦＴＰログイン時の宛先ＩＰアドレスは、通常通信時のものとする。ダミーセルを送信することのみにＦＴＰログイン処理が行われるので、当該処理は、以降のパスワード入力等の処理に移行せず強制終了する。
【００３９】
ダミーセル送出指示の第４の具体例として、ダミーセル送出部１０２がＯＳ実行部１０３のＳＮＭＰ−Ｔｒａｐログイン関数（プロトコル：ＵＤＰ（ユーザ・データグラム・プロトコル））を呼び出す。この関数は、ＩＰネットワークにおいて、ルータ装置やコンピュータ、端末装置など、ネットワークに接続された通信機器をネットワーク経由で監視・制御するためのプロトコルである。制御の対象となる機器はＭＩＢと呼ばれる管理情報データベースを持っており、管理を行なう機器は対象機器のＭＩＢ情報に基づいて適切な設定を行なう。ＵＤＰは、インターネットで利用される標準プロトコルで、ＯＳＩ参照モデルのトランスポート層にあたる。ネットワーク層のＩＰと、セション層以上のプロトコルの橋渡しをする。転送速度は高いが信頼性が低い。ＳＮＭＰ−Ｔｒａｐ送信時の宛先ＩＰアドレスは通常通信時のものとする。ダミーセルを送信することのみにＳＮＭＰ−Ｔｒａｐ処理が行われるので、当該処理はＳＮＭＰ−Ｔｒａｐ信号を単発送信する。
【００４０】
ダミーセル送出指示の第５の具体例として、ダミーセル送出部１０２がＯＳ実行部１０３のＴｒａｃｅ−Ｒｏｕｔｅ試験関数（プロトコル：ＵＤＰ）を呼び出す。Ｔｒａｃｅ−Ｒｏｕｔｅ試験関数は、ネットワークの経路を確認するものであり、ＵＤＰ上にマッピングされる。相手先のＩＰアドレスおよびホップ数が指定されて、ＵＤＰ上にマッピングされたメッセージとして送信される。相手先を含む中継経路からの応答を受信することでネットワーク経路が確認される。Ｔｒａｃｅ−Ｒｏｕｔｅ試験送信時の宛先ＩＰアドレスは、通常通信時のものとする。ダミーセルを送信することのみにＴｒａｃｅ−Ｒｏｕｔｅ試験が行われるので、当該処理は、応答等の受信有無に関係なく強制終了する。
【００４１】
以上のようにして、ダミーセル送出部１０２のアプリケーションからＯＳ実行部１０３にダミーセルの送出指示が発行されると、ＯＳ実行部１０３は、関数と引数で指定されたＡＴＭセルの送信指示を、ハードウェアデバイスドライバ部１０４に通知する。
【００４２】
ハードウェアデバイスドライバ部１０４は、ＶＰＩ（Virtual Pass Identifier）及びＶＣＩ（Virtual Channel Identifier）の２つの識別子に基づいてリンクしているユーザチャネルを、ＶＰＩ／ＶＣＩチャネル管理テーブル１０５を使って管理している。
【００４３】
ＶＰＩは、ＡＴＭにおける仮想パス（ＶＰ）で多重化された経路のうちどの経路を仮想パスとして使用するかを識別するためにＡＴＭヘッダに付与される８ビットからなる識別子であり、ＶＣＩは、各仮想パス上の仮想チャネル（ＶＣ）を識別するためにＡＴＭセルヘッダに付与される１６ビットからなる識別子である（図７（ｂ）参照）。
【００４４】
ハードウェアデバイスドライバ部１０４は、ＶＰＩ／ＶＣＩチャネル管理テーブル１０５を使って、ＯＳ実行部１０３から指示された宛先ＩＰアドレス等の情報に対応するＶＰＩ／ＶＣＩを選択し、ＡＴＭ回線終端部１０６に対して、当該ＶＰＩ／ＶＣＩがＡＴＭヘッダにセットされたＡＴＭセルの送信指示を出す。
【００４５】
ＡＴＭ回線終端部１０６は、ハードウェアデバイスドライバ部１０４から指示されたデータをＡＴＭセルに格納し、ＡＴＭ回線にダミーセルとして送出する。ダミーセルは通常、ＰＴＩ＝１がセットされた１セルを有している。
【００４６】
図２は、図１に示される第１の実施形態を有するＡＴＭ装置７０６と、それに接続されるルータ装置７０１間の動作を示すシーケンス図である。
図１のＡＴＭ装置７０６において、再開判定部１０１は、ＡＴＭ装置７０６自身の再開及び再起動の発生を監視している。そして、装置が再開して（図２のＳ２０１）、続いて再起動すると（図２のＳ２０２）、再開判定部１０１はダミーセル送出部１０２にダミーセルの送出を指示する。
【００４７】
この結果、前述した動作により、ＡＴＭ装置７０６から活性化されているＶＰＩ／ＶＣＩ毎にダミーセルが送信され、それがルータ装置７０１に到達する（図２のＳ２０３）。
上記ダミーセルにはＰＴＩ＝１がセットされているため、ルータ装置７０１内の、再開が発生したＡＴＭ装置７０６のＡＴＭ回線を収容するＡＴＭ回線Ｉ／Ｆ部７０２においては、上記ダミーセルが、ＡＴＭ装置７０６の再開前に同装置７０６から送られてきて当該ＡＴＭ回線Ｉ／Ｆ部７０２内に滞留していたＡＴＭセル(ごみＡＴＭセル)と結合される。そして、これらの結合されたＡＴＭセル群は、ＣＲＣＳ−ＰＤＵ組立て時に、そのＣＲＣ演算結果がＮＧ（異常）になることにより、一括して破棄される（図２のＳ２０４）。
【００４８】
これ以降、ＡＴＭ装置７０６とルータ装置７０１の間の通信は正常状態に復旧し、ＡＴＭ装置７０６からルータ装置７０１内の当該ＡＴＭ回線Ｉ／Ｆ部７０２へは、先頭セルから順次有効データセルの送信が行われ、ルータ装置７０１においてＡＴＭ回線網７０４からＩＰ回線網７０５へのルーティングが実施される。
【００４９】
なお、上記滞留データ破棄処理は、再開が発生したＡＴＭ装置７０６が接続されるＡＴＭ回線Ｉ／Ｆ部７０２以外のＡＴＭ回線Ｉ／Ｆ部７０２の内部データには影響を与えない。
【００５０】
このように、第１の実施形態では、ＡＴＭ装置７０６内に、ダミーセル送出部１０２を設けることで、ＡＴＭ装置７０６の再開時にルータ装置７０１内の該当するＡＴＭ回線Ｉ／Ｆ部７０２内に滞留している不要データにダミーセルを意図的に結合させて、ＣＲＣチェックにて破棄させることにより、再開後の有効データの欠損を回避することができる。
【００５１】
また、ダミーセル送出部１０２が、ＡＴＭ装置７０６内に搭載されるソフトウエアアプリケーションによる上位レイヤでのダミーセル送信を行うことにより、ダミーセル送出のための特別なハードウェア機構等を新設することなく、有効データの欠損回避を実現することができる。
【００５２】
図３は、図７のルータ装置７０１の各ＡＴＭ回線Ｉ／Ｆ部７０２において実現される本発明の第２の実施形態の構成図である。
第２の実施形態では、ルータ装置７０１は、各ＡＴＭ回線Ｉ／Ｆ部７０２（図７参照）において、それが収容するＡＴＭ回線の切断又は障害を検出する回線断検出部３０１、回線断が検出された場合に、タイマ３０３を起動して一定時間以上継続する回線断を判定する回線断判定部３０２、一定時間以上継続する回線断が判定された場合にそのＡＴＭ回線を収容するＡＴＭ回線Ｉ／Ｆ部７０２内に滞留しているＡＴＭセルを破棄する滞留データ破棄部３０４を有する。
【００５３】
このように、第２の実施形態では、ＡＴＭ回線の回線断時に、ルータ装置７０１自身が内部の滞留データを破棄することにより、ルータ装置７０１に接続されるＡＴＭ装置７０６の再開後に同装置７０６から送られてくる有効データの欠損の回避が実現される。
なお、上記滞留データ破棄処理は、回線断が発生したＡＴＭ回線Ｉ／Ｆ部７０２以外のＡＴＭ回線Ｉ／Ｆ部７０２の内部データには影響を与えない。
【００５４】
図４は、図３に示される第２の実施形態を有するルータ装置７０１と、それに接続されるＡＴＭ装置７０６間の動作を示すシーケンス図である。
図３の回線断検出部３０１は、それが属するＡＴＭ回線Ｉ／Ｆ部７０２が収容するＡＴＭ回線の切断又は障害を検出する（図４のＳ４０１）。
回線断の判断は、物理的な回線断の判定に加えて、ＡＴＭ信号中に表示されるＡＴＭ回線警報に基づいて行うことができる。ルータ装置７０１（図７）内の各ＡＴＭ回線Ｉ／Ｆ部７０２が収容するＡＴＭ回線は、複数種類が存在し得る。それらの回線の種類に応じて回線警報も異なるため、どの回線警報のときに回線断と判定するかをＡＴＭ回線Ｉ／Ｆ部７０２毎に可変することが望ましい。
【００５５】
図５は、１５５Ｍ光ＡＴＭメガリンクを収容するＡＴＭ回線Ｉ／Ｆ部７０２において、ＡＴＭ回線警報毎に回線断と判断するか否かを示した表である。それぞれの警報は、下記の意味を有する。
ＬＯＳ（Loss Of Signal）： 物理的信号回線同期断状態
ＬＯＦ（Loss Of Frame）：伝送フレームの同期断状態
ＬＯＰ（Loss Of Pointer）：伝送フレームのポインタはずれ
ＶＰ−ＡＩＳ：F4 OAMセルのＶＰ−ＡＩＳセルを受信した場合
ＶＰ−ＲＤＩ：F4 OAMセルのＶＰ−ＲＤＩセルを受信した場合
Ｐ−ＡＩＳ：ＬＯＰ伝送フレームのポインタ（H1,H2）はずれ
Ｐ−ＲＤＩ：ＬＯＰ伝送フレームのポインタ（G1）はずれ
ＬＣＤ（Loss of Cell Delineation）：ＡＴＭセルＨＥＣ同期はずれ
これらの警報表示／解除機能は、図６（ａ）に示されるような、１５５Ｍ光ＡＴＭメガリンクの場合におけるＳＴＭ１と呼ばれるフレーム構成の場合、１０バイトのオーバーヘッド部の各ビットに割り当てられる。
【００５６】
また、図６（ｂ）に示されるように、ＡＴＭセル自身が有する５バイトからなるＡＴＭセルヘッダも、警報監視の一部役割を担っている。
図５の例では、ＬＯＳ、ＬＯＦ、ＬＯＰ、ＬＣＤの各警報がオンになったときに、図３の回線断検出部３０１が回線断を検出するように動作すべきことを示している。ＡＴＭ回線Ｉ／Ｆ部７０２は、図５に示されるような判定テーブルを内部に保有し、その設定内容に基づいて回線断検出部３０１が回線断を検出する。
【００５７】
図３の回線断検出部３０１がＡＴＭ回線の回線断を検出した場合、次に図３の回線断判定部３０２が、タイマ３０３を起動し（図４のＳ４０２）、タイマの満了分だけ待機する（図４のＳ４０３の判定がＮＯ）。
【００５８】
そして、回線断判定部３０２は、タイマが満了した時点（図４のＳ４０３の判定がＹＥＳ）において、回線断検出部３０１がなお回線断を検出していた場合に（図４のＳ４０４の判定がＹＥＳ）、その回線断判定部３０２が属するＡＴＭ回線Ｉ／Ｆ部７０２（図７参照）の内部に滞留しているごみデータであるＡＴＭセルを破棄する（図４のＳ４０５）。
【００５９】
この後ＡＴＭ回線における回線断が復旧すると、ＡＴＭ装置７０６とルータ装置７０１の該当するＡＴＭ回線Ｉ／Ｆ部７０２間の通信状態は正常状態に復旧し、ＡＴＭ装置７０６から当該ＡＴＭ回線Ｉ／Ｆ部７０２への有効データの送信が先頭データから順次再開される。
【００６０】
回線断判定部３０２は、タイマが満了した時点（図４のＳ４０３の判定がＹＥＳ）において、回線断検出部３０１が回線断を検出しない状態になっていた場合には（図４のＳ４０４の判定がＮＯ）、回線断は瞬断であったと判定して、通常の運用状態に戻る。
上述の第２の実施形態の動作において、タイマ３０３はルータ装置７０１を運用するユーザが自由に設定可能とし、環境に応じて可変とするのが望ましい。
【００６１】
次に、本発明の第３の実施形態について説明する。
第３の実施形態では、第２の実施形態と同様の図３に示される構成が、図７のルータ装置７０１の各ＡＴＭ回線Ｉ／Ｆ部７０２だけではなく、各ＩＰ回線Ｉ／Ｆ部７０３にも設置される。基本的な動作は、第２の実施形態における図４のシーケンスと同じである。
【００６２】
第３の実施形態において、或るＩＰ回線Ｉ／Ｆ部７０３内の回線断検出部３０１は、図４のＳ４０６として示されるように、それが属するＩＰ回線Ｉ／Ｆ部７０３と通信を行っている或るＩＰ装置７０７において再開が発生したような場合に、そのＩＰ回線の切断又は障害を検出する（図４のＳ４０１）。
【００６３】
続いて、上記回線断検出部３０１と同じＩＰ回線Ｉ／Ｆ部７０３に属する図３の回線断判定部３０２が、タイマ３０３を起動して回線断の継続を判定すると（図４のＳ４０２−＞Ｓ４０３−＞Ｓ４０４）、同じＩＰ回線Ｉ／Ｆ部７０３内の図３の滞留データ破棄部３０４が、ルータ装置７０１内の特には図示しないルーティングテーブルを参照することにより、そのＩＰ回線Ｉ／Ｆ部７０３との間でルーティングが設定されている１つ以上のＡＴＭ回線Ｉ／Ｆ部７０２（図７）を認識し、その認識した各ＡＴＭ回線Ｉ／Ｆ部７０２の内部に滞留している上記ＩＰ回線Ｉ／Ｆ部７０３向けのＡＴＭセルを破棄する（図４のＳ４０５）。各滞留セルが上記ＩＰ回線Ｉ／Ｆ部７０３向けであるか否かは、各滞留セルのヘッダ部に格納されているＶＰＩ／ＶＣＩを見て判定される。
【００６４】
なお、上記滞留データ破棄処理は、継続的な回線断が検出されたＩＰ回線Ｉ／Ｆ部７０３との間でルーティングが設定されていないＡＴＭ回線Ｉ／Ｆ部７０２の内部データには影響を与えない。
【００６５】
この後ＩＰ回線における回線断が復旧すると、ＡＴＭ装置７０６とルータ装置７０１の該当するＡＴＭ回線Ｉ／Ｆ部７０２間、及びＩＰ装置７０７とルータ装置７０１内の該当するＩＰ回線Ｉ／Ｆ部７０３間の各通信状態は正常状態に復旧し、ＡＴＭ装置７０６から当該ＡＴＭ回線Ｉ／Ｆ部７０２への有効データの送信が先頭データから順次再開される。
【００６６】
以上説明した第１〜第３の実施形態は、ＡＴＭ装置７０６又はルータ装置７０１上のソフトウェアでも実現することができ、これらの装置はコンピュータとして機能を備えている。従って、第１〜第３の実施形態は、それらの機能を搭載したプログラムを、ネットワーク経由又は外部記憶装置や可搬記録媒体に記録して配布してもよく、これらも本発明の範囲に含まれる。
【００６７】
以上の第１〜第３の実施形態に関して、更に以下の付記を開示する。
（付記１）
非同期転送モード回線網（ＡＴＭ回線網）とインターネットプロトコル回線網（ＩＰ回線網）がルータ装置によって相互に接続されるネットワーク上で、前記ＡＴＭ回線網を構成する非同期転送モード通信装置（ＡＴＭ装置）内に構成される装置であって、
前記ＡＴＭ装置の再開を判定する再開判定手段と、
該再開判定手段が前記ＡＴＭ装置の再開を判定した場合に、前記ＡＴＭ装置が終端する非同期転送モード回線（ＡＴＭ回線）に向けてダミーの非同期転送モードセル（ＡＴＭセル）の送出を指示するダミーセル送出手段と、
を含み、
前記ＡＴＭ装置の再開時に、該ＡＴＭ装置と通信するルータ装置において、該ルータ装置内に滞留している該ＡＴＭ装置との通信データセルに前記ダミーのＡＴＭセルを結合させ、該結合されたデータを誤り検出処理により破棄させる、
ことを特徴とするＩＰｏｖｅｒＡＴＭ回線における信号欠損の回避装置。
（付記２）
前記ダミーセル送出手段は、インターネットプロトコル（ＩＰプロトコル）よりも上位レイヤ階層のプロトコルにおけるデータ送信機能を用いて、前記ダミーのＡＴＭセルの送出を指示する、
ことを特徴とする付記１に記載のＩＰｏｖｅｒＡＴＭ回線における信号欠損の回避装置。
（付記３）
前記上位レイヤ階層のプロトコルにおけるデータ送信機能として、インターネット・コントロール・メッセージ・プロトコル（ＩＣＭＰプロトコル）におけるピング（ｐｉｎｇ）試験送信機能、トランスミッション・コントロール・プロトコル（ＴＣＰプロトコル）におけるテルネット（ｔｅｌｎｅｔ）ログイン機能、前記ＴＣＰプロトコルにおけるファイル・トランスファー・プロトコル（ｆｔｐ）ログイン機能、ユーザ・データグラム・プロトコル（ＵＤＰプロトコル）におけるシンプル・ネットワーク・マネジメント・プロトコル−トラップ（ＳＮＭＰ−Ｔｒａｐ）ログイン機能、前記ＵＤＰプロトコルにおけるトレース・ルート（ｔｒａｃｅｒｏｕｔｅ）試験機能の何れかを用いる、
ことを特徴とする付記２に記載のＩＰｏｖｅｒＡＴＭ回線における信号欠損の回避装置
。
（付記４）
非同期転送モード回線網（ＡＴＭ回線網）とインターネットプロトコル回線網（ＩＰ回線網）がルータ装置によって相互に接続されるネットワーク上で、前記ルータ装置内に構成される装置であって、
前記ルータ装置が収容する非同期転送モード回線（ＡＴＭ回線）の切断又は障害を検出するＡＴＭ回線断検出手段と、
該ＡＴＭ回線断検出手段による前記ＡＴＭ回線の切断又は障害の検出状況に基づいて、前記ルータ装置内に滞留している該検出が行われたＡＴＭ回線に対応する前記ＡＴＭセルのデータを破棄する滞留データ破棄手段と、
を含むことを特徴とするＩＰｏｖｅｒＡＴＭ回線における信号欠損の回避装置。
（付記５）
前記ＡＴＭ回線断検出手段が前記ＡＴＭ回線の切断又は障害を検出した後、前記ＡＴＭ回線の所定時間の切断又は障害の継続を判定するＡＴＭ回線断判定手段を更に含み、
前記滞留データ破棄手段は、前記ＡＴＭ回線断判定手段が前記ＡＴＭ回線の所定時間の切断又は障害の継続を判定した場合に、前記ルータ装置内に滞留している該判定が行われたＡＴＭ回線に対応する前記ＡＴＭセルのデータを破棄する、
ことを特徴とする付記４に記載のＩＰｏｖｅｒＡＴＭ回線における信号欠損の回避装置。
（付記６）
前記ＡＴＭ回線断検出手段は、前記ＡＴＭ回線に関して通知される複数の非同期通信モード回線警報（ＡＴＭ回線警報）のうちから選択されたＡＴＭ回線警報を用いて、前記ルータ装置が収容するＡＴＭ回線の切断又は障害を検出する、
ことを特徴とする付記４又は５の何れか１項に記載のＩＰｏｖｅｒＡＴＭ回線における信号欠損の回避装置。
（付記７）
非同期転送モード回線網（ＡＴＭ回線網）とインターネットプロトコル回線網（ＩＰ回線網）がルータ装置によって相互に接続されるネットワーク上で、前記ルータ装置内に構成される装置であって、
前記ルータ装置が収容するインターネットプロトコル回線（ＩＰ回線）の切断又は障害を検出するＩＰ回線断検出手段と、
該ＩＰ回線断検出手段による前記ＩＰ回線の切断又は障害の検出状況に基づいて、前記ルータ装置内に滞留している該検出が行われたＩＰ回線との間でルーティングが設定されている前記ＡＴＭ回線に対応する前記ＡＴＭセルのデータを破棄する滞留データ破棄手段と、
を含むことを特徴とするＩＰｏｖｅｒＡＴＭ回線における信号欠損の回避装置。
（付記８）
前記ＩＰ回線断検出手段が前記ＩＰ回線の切断又は障害を検出した後、前記ＩＰ回線の所定時間の切断又は障害の継続を判定するＩＰ回線断判定手段を更に含み、
前記滞留データ破棄手段は、前記ＩＰ回線断判定手段が前記ＩＰ回線の所定時間の切断又は障害の継続を判定した場合に、前記ルータ装置内に滞留している該検出が行われたＩＰ回線との間でルーティングが設定されている前記ＡＴＭ回線に対応する前記ＡＴＭセルのデータを破棄する、
ことを特徴とする付記７に記載のＩＰｏｖｅｒＡＴＭ回線における信号欠損の回避装置。
（付記９）
非同期転送モード回線網（ＡＴＭ回線網）とインターネットプロトコル回線網（ＩＰ回線網）がルータ装置によって相互に接続されるネットワーク上における信号欠損の回避方
法であって、
前記ＡＴＭ回線網を構成する非同期転送モード通信装置（ＡＴＭ装置）の再開を判定する再開判定ステップと、
該再開判定ステップにより前記ＡＴＭ装置の再開が判定された場合に、前記ＡＴＭ装置が終端する非同期転送モード回線（ＡＴＭ回線）に向けてダミーの非同期転送モードセル（ＡＴＭセル）の送出を指示するダミーセル送出ステップと、
前記ＡＴＭ装置の再開時に、該ＡＴＭ装置と通信するルータ装置において、該ルータ装置内に滞留している該ＡＴＭ装置との通信データセルに前記ダミーのＡＴＭセルを結合させ、該結合されたデータを誤り検出処理により破棄させる滞留データ破棄ステップと、
を含むことを特徴とするＩＰｏｖｅｒＡＴＭ回線における信号欠損の回避方法。
（付記１０）
前記ダミーセル送出ステップでは、インターネットプロトコル（ＩＰプロトコル）よりも上位レイヤ階層のプロトコルにおけるデータ送信機能を用いて、前記ダミーのＡＴＭセルの送出が指示される、
ことを特徴とする付記９に記載のＩＰｏｖｅｒＡＴＭ回線における信号欠損の回避方法。
（付記１１）
非同期転送モード回線網（ＡＴＭ回線網）とインターネットプロトコル回線網（ＩＰ回線網）がルータ装置によって相互に接続されるネットワーク上における信号欠損の回避方法であって、
前記ルータ装置が収容する非同期転送モード回線（ＡＴＭ回線）の切断又は障害を検出するＡＴＭ回線断検出ステップと、
該ＡＴＭ回線断検出ステップによる前記ＡＴＭ回線の切断又は障害の検出状況に基づいて、前記ルータ装置内に滞留している該検出が行われたＡＴＭ回線に対応する前記ＡＴＭセルのデータを破棄する滞留データ破棄ステップと、
を含むことを特徴とするＩＰｏｖｅｒＡＴＭ回線における信号欠損の回避方法。
（付記１２）
前記ＡＴＭ回線断検出ステップにて前記ＡＴＭ回線の切断又は障害が検出された後、前記ＡＴＭ回線の所定時間の切断又は障害の継続を判定するＡＴＭ回線断判定ステップを更に含み、
前記滞留データ破棄ステップでは、前記ＡＴＭ回線断判定ステップにて前記ＡＴＭ回線の所定時間の切断又は障害の継続が判定された場合に、前記ルータ装置内に滞留している該判定が行われたＡＴＭ回線に対応する前記ＡＴＭセルのデータが破棄される、
ことを特徴とする付記１２に記載のＩＰｏｖｅｒＡＴＭ回線における信号欠損の回避方法。
（付記１３）
非同期転送モード回線網（ＡＴＭ回線網）とインターネットプロトコル回線網（ＩＰ回線網）がルータ装置によって相互に接続されるネットワーク上における信号欠損の回避方法であって、
前記ルータ装置が収容するインターネットプロトコル回線（ＩＰ回線）の切断又は障害を検出するＩＰ回線断検出ステップと、
該ＩＰ回線断検出ステップによる前記ＩＰ回線の切断又は障害の検出状況に基づいて、前記ルータ装置内に滞留している該検出が行われたＩＰ回線との間でルーティングが設定されているＡＴＭ回線に対応するＡＴＭセルのデータを破棄する滞留データ破棄ステップと、
を含むことを特徴とするＩＰｏｖｅｒＡＴＭ回線における信号欠損の回避方法。
【図面の簡単な説明】
【００６８】
【図１】第１の実施形態の構成図である。
【図２】第１の実施形態のシーケンス図である。
【図３】第２及び第３の実施形態の構成図である。
【図４】第２及び第３の実施形態のシーケンス図である。
【図５】ＡＴＭ回線警報と回線断判定との関係を説明する表である。
【図６】ＡＴＭ回線警報とＡＴＭ信号構成との関係を説明する図である。
【図７】ＩＰｏｖｅｒＡＴＭ回線のネットワーク構成例を示す図である。
【図８】ＩＰｏｖｅｒＡＴＭ回線の原理説明図である。
【符号の説明】
【００６９】
１０１      再開判定部
１０２      ダミーセル送出部
１０３      オペレーションシステム実行部（ＯＳ実行部）
１０４      ハードウェアデバイスドライバ部
１０５      ＶＰＩ／ＶＣＩチャネル管理テーブル
１０６      ＡＴＭ回線終端部
３０１      回線断検出部
３０２      回線断判定部
３０３      タイマ
３０４      滞留データ破棄部
７０１      ルータ装置
７０２      ＡＴＭ回線インタフェース部（ＡＴＭ回線Ｉ／Ｆ部）
７０３      ＩＰ回線インタフェース部（ＩＰ回線Ｉ／Ｆ部）
７０４      ＡＴＭ回線網
７０５      ＩＰ回線網
７０６      ＡＴＭ装置
７０７      ＩＰ装置
【図１】
2010035000.tif 000003
【図２】
2010035000.tif 000004
【図３】
2010035000.tif 000005
【図４】
2010035000.tif 000006
【図５】
2010035000.tif 000007
【図７】
2010035000.tif 000008
【図６】
2010035000.tif 000009
【図８】
2010035000.tif 000010